(57)【要約】【課題】映画と共にＤＶＤに記憶された特定のビデオ・プログラムを特定の時に、または映画と共に自動的に再生する方法およびシステムを提供すること。【解決手段】ディジタル・ビデオ・ディスクの各メモリ・セクタ・ヘッダ中に、フレームの主データ部分中に含まれる情報のタイプを示すビットが提供される。ビデオ・クリップのベクトルはＤＶＤディスクに記憶され、ＤＶＤドライブはそのビットを検査して、映画を再生するか、それとも、本発明によって提供される、収録されたどのビデオ・クリップを代わりに再生するかをＤＶＤドライブが決定できるようにする論理を使用するかを決定する。ビデオ・クリップには、漫画、コマーシャル、映画予告編などを含めることができ、ＤＶＤドライブによって使用される論理が、両面ＤＶＤディスクの反転中にクリップを表示するなど、所定時間にランダムまたは特定の選択物を再生させる。【選択図】図５
2007049733.tif 000002
【特許請求の範囲】
【請求項１】
複数のビデオ・クリップが格納された記録媒体を表示する際に用いられるプログラムであって、前記複数のビデオ・クリップを自動的に選択するための命令を含むプログラムを取得し、
前記プログラムに基づいて、前記記録媒体に格納されたビデオ・クリップを選択して表示することを特徴とする映像情報再生装置。
【請求項２】
前記記録媒体は複数の記録面を有し、当該記録面を交換する間に、前記プログラムによって自動的に選択されたビデオ・クリップを表示することを特徴とする請求項１に記載の映像情報再生装置。
【請求項３】
前記プログラムを、通信回線を介して取得することを特徴とする請求項２に記載の映像情報再生装置。
【請求項４】
前記プログラムが、乱数に基づいて前記ビデオ・クリップを選択する命令を含むことを特徴とする請求項１又は２に記載の映像情報再生装置。
【請求項５】
前記プログラムが、時刻に基づいて前記ビデオ・クリップを選択する命令を含むことを特徴とする請求項１又は２に記載の映像情報再生装置。
【発明の詳細な説明】
【技術分野】
【０００１】
本発明は一般に、情報信号が記録された光ディスク、および光ディスク用の再生装置に関する。より詳細には、本発明は、ディジタル・ビデオ・データ、オーディオ・データ、画像データなどのマルチメディア・データの記録に使用される光ディスク、および光ディスク用の再生装置に関する。
【背景技術】
【０００２】
ディジタル・ビデオ・ディスク（Ｄｉｇｉｔａｌ  Ｖｉｄｅｏ  Ｄｉｓｋ、ＤＶＤ）は、ディジタル・バーサタイル・ディスク（Ｄｉｇｉｔａｌ  Ｖｅｒｓａｔｉｌｅ  Ｄｉｓｋ）としても知られており、ディスクからデータを読み取るのに低出力レーザを利用するタイプの光データ記憶ディスクである。ＤＶＤは、ＣＤＲＯＭ（コンパクト・ディスク読取専用記憶装置）光ディスクよりも多くの記憶容量を有し、ビデオ、オーディオ、ディジタルのデータを記憶するのに使用することができる。ＣＤＲＯＭは、通常約６５０メガバイトのデータを保持する。ＤＶＤは、その構成により４．７ギガバイトから１７ギガバイト（２層両面ディスクを利用して）のデータを記憶する。
【０００３】
ＤＶＤは、その記憶容量のために、ビデオまたは映画を記憶するのに非常に適している。ＤＶＤは、１時間の標準的なビデオ録画品を記憶するのに約２ギガバイトの空間を必要とする。２層技術によって４時間以上の再生に対する記憶空間がもたらされるにも関わらず、いくつかの映画は分割されてディスクの両面に記録される。そのため、消費者は映画の途中でＤＶＤを「反転する」（ディスクを抜き取り、裏返し、プレーヤに再び挿入する）必要がある。ＤＶＤ１０およびＤＶＤ１７を含めて全ての両面ディスクは、両面に収録された全情報にアクセスするために、ロボット式に処理されるライブラリ内で手動でまたは自動で反転される。
【表１】
2007049733.tif 000003
【０００４】
現在、ＤＶＤ映画は、本編の前に再生されるようにディスクにインストールされた追加のビデオ・プログラムを有することがある。通常、追加プログラムは全て順番に従って視聴しなければならず、あるいは、ＤＶＤプレーヤの機能により、追加プログラムは手動で飛ばして、視聴者の自由裁量で映画を再生することができる。例えば、追加プログラムは広告の場合があるが、広告は、視聴者が映画を見ることができる頃には時期遅れとなっていることがある（例えば冬に関係するコマーシャルが夏に視聴されるなど）。
【０００５】
したがって、ランダムに選択でき、主要映画の前に再生できる漫画、ビデオ・クリップ、コマーシャル、映画予告編などを提供するようにＤＶＤを改善することが望ましい。さらに、両面ＤＶＤが「反転」される時に現れる表示を提供することも望ましい。さらに、ディスクのコストを削減するためにＤｉｖｘ  ＤＶＤの前にコマーシャルを表示するか、またはＤｉｖｘ  ＤＶＤ映画をコマーシャルなしで再生するかのオプションを提供する方法および装置を提供することも望ましい。
【発明の開示】
【発明が解決しようとする課題】
【０００６】
したがって、本発明の一目的は、映画と共にＤＶＤに記憶された特定のビデオ・プログラムを特定の時に、または映画と共に自動的に再生する方法およびシステムを提供することである。
【０００７】
本発明の他の目的は、ＤＶＤの反転中に、記憶済みのビデオ・クリップを自動的に表示する方法およびシステムを提供することである。
【０００８】
本発明の他の目的は、ＤｉｖｘバージョンのＤＶＤディスクのコストを削減するためにコマーシャルを表示する方法および装置を提供することである。
【０００９】
本発明の他の目的は、ＤＶＤディスクに記憶したビデオ・クリップをランダムに選択して再生する方法および装置を提供することである。
【課題を解決するための手段】
【００１０】
前述の目的は、以下に述べるようにして達成される。ディジタル・ビデオ・ディスクの各メモリ・セクタ・ヘッダ中に、フレームの主データ部分中に含まれる情報のタイプを示すビットが提供される。ビデオ・クリップのベクトルはＤＶＤディスクに記憶され、ＤＶＤドライブはビットを検査して、映画を再生するか、それとも、本発明によって提供される、収録されたどのビデオ・クリップを代わりに再生するかをＤＶＤドライブが決定できるようにする論理を使用するかを決定する。ビデオ・クリップには漫画、コマーシャル、映画プレビューなどが含まれ、ＤＶＤドライブによって使用される論理はビットを読み取り、両面ＤＶＤディスクの反転中にクリップを表示するなど、ランダムなまたは特定の選択物を所定の時に再生させる。さらに、この方法および装置をＤｉｖｘ  ＤＶＤに適用して、コマーシャルを映画の前、後、または途中で再生するか、それともコマーシャルなしで映画を再生するかを決定することができる。
【００１１】
本発明の上記ならびに追加の目的、特徴、および利点は、以下の詳細な記述中で明らかになろう。
【発明を実施するための最良の形態】
【００１２】
ここで図、特に図１ないし図４を参照すると、本発明の好ましい一実施形態を実施することのできる光ディスクの物理構造の図が示してある。図１は光ディスクの斜視図を示し、図２はディスクの断面図を示し、図３は図２の枠で囲んだ部分の拡大図を示す。図４は、情報層中に形成されるピットの典型的な配列を示す。
【００１３】
まず図１（Ａ）から見ると、光ディスク１０２、この例では片面ディジタル・ビデオ・ディスク（ＤＶＤ）は、通常直径１２０ミリメートルであり、片面で４．７ギガバイトの記憶容量を有する。ＤＶＤ１０２の断面を図１（Ｂ）に示すが、これは、第１の透明基板１０４、情報層１０６、ボンディング層１０８、第２の透明基板１１０、ラベルをプリントするためのプリント層１１２で作られている。
【００１４】
第１の透明基板１０４および第２の透明基板１１０は、同じ材料で作られた補強用基板であり、通常厚さ０．５〜０．７ミリメートル前後である。ボンディング層１０８は、情報層１０６と第２の透明基板１１０との間に設けられ、それらを結合する。
【００１５】
情報層１０６は金属箔などの反射膜を含み、第１の透明基板１０４に取り付けられている。この反射膜中に、凹凸のある高密度のピットが製造過程で形成される。図１（Ｄ）に、これらのピットのこうした形状を示す。
【００１６】
図１（Ｃ）は、図１（Ｂ）のＤＶＤ１０２の一部分の拡大図であり、レーザ光線１１４がＤＶＤディスク１０２の情報層１０６上に当たっていることを示している。短波長の赤色半導体レーザによって通常生成されるレーザ光線１１４を情報層１０６に当て、情報層１０６中のピットからの光点１１６の反射率の変化を測定することにより、情報をＤＶＤ１０２から取り出すことができる。
【００１７】
ＤＶＤシステム中の光点１１６の直径は通常、従来のＣＤディスク中の光点の直径の６０パーセントである。上述したようなＤＶＤに類似するＤＶＤは、片面で４ギガバイト（ＧＢ）以上、すなわち従来のＣＤ容量の約８倍の情報を記憶することができる。
【００１８】
図１（Ｄ）に、情報層１０６上にあるピットの形状を示す。図のように、ピットの長さは通常０．４マイクロ・メートル（μｍ）〜２．１３μｍの間で変動し、ピットは、通常０．７４μｍの半径方向のピット間隔を有するらせん状のトラック中に整列している。らせん状のトラック（図示せず）は、情報層１０６の内側周辺から外側周辺に至るように半径方向に形成され、このらせん状のトラック内に非常に多くのセクタが形成されている。セクタとは、らせん状トラックの湾曲した一区域であり、確実にアドレス指定できる最小データ単位である。
【００１９】
図２を参照すると、本発明の好ましい一実施形態によるＤＶＤ構造のタイプのブロック図が示してある。ＤＶＤ１２０を、両面２層構造を示す断面図によって示し、Ａ面を読み取るＤＶＤドライブ・レーザと共に示す。ＣＤ  ＲＯＭと同様に、両面２層ＤＶＤは通常１．２ｍｍの厚さであり、１２６で結合された２つの０．６ｍｍの基板でできている。各基板は２つの層を有し、したがって、レーザ読取り可能な４つの層がある。層１２２が付着され、その後に透明ポリマー層が付着され、層１２４は半透明層である。ＤＶＤレーザ１２５は、層１２４の端に達するまで層１２４の情報を読み取る。次いで、レーザ１２５は焦点を変え、半透明層１２４を通して層１２２から情報を読み取る。層１２８および１２９中に含まれる情報を読み取るために、ＤＶＤを手動で取り出し、「反転」し、再び挿入する。次いでレーザ１２５は層１２８および１２９を読み取る。
【００２０】
ＤＶＤブロック図１３０は、２層片面ディスクを示す。層１３２は最初に読み取られる半透明層であり、層１３４は層１３２の読取り完了後に読み取られるもう１つの層である。ＤＶＤブロック図１４０は、単層両面ディスクを示す。層１４２が読み取られ、層１４４に含まれる情報を読み取るために反転される。ＤＶＤブロック図１５０は単層ＤＶＤディスクを示すが、このディスクでは層１５２だけが読み取られ、反転の必要はない。表１に示したように、ＤＶＤの容量は、単層片面ディスクの場合の４．７ＧＢから両面２層ディスクの１７ＧＢまで大きく変わる。
【００２１】
図３を参照すると、本発明の好ましい一実施形態によるＤＶＤディスク上の記録済みトラックの高レベルの図が示してある。図では、ＤＶＤ上の、ビデオ・データ情報を含むらせん状トラックの情報層が、内側周辺から外側周辺に至るように配列されている。らせん状トラック上には、Ｓ１、Ｓ２、Ｓ３などで表される非常に多くの物理セクタが形成されている。各セクタは、図４に示すような論理構造を有し、これは、それぞれのセクタを識別するためのセクタ・ヘッダ、データ記憶用のデータ域、同じセクタ中のデータに向けられる誤り訂正コード記憶域を含む。誤り訂正コードは、セクタ内の誤りを検出するのに使用され、このような誤りが検出された時に誤り訂正を実行する。
【００２２】
図５を参照すると、本発明の好ましい一実施形態による、任意選択の記憶済みプログラムを表示する方法の高レベルの流れ図が示してある。プロセスはステップ３００で始まり、ＤＶＤディスク上のセクタ・ヘッダ内にトリガ・ビットを配置する。０の値のビットは、そのセクタが画像データを含むことを示し、１の値は、そのセクタがマイクロコード関数に対する引数か、マイクロコード自体のいずれかを含むことを示す。
【００２３】
ステップ３０２に進み、ビット値が１かどうか判定する。ビット値が１でない（すなわち０である）場合、３０４に進み、セクタのデータ部分に含まれる画像データがビデオ画面に表示するためビデオ・デコーダ（すなわちＭＰＥＧデコーダ）に送られる。ビット値が１の場合、セクタの内容は、マイクロコード関数に対する引数（表２参照）か、マイクロコード自体のいずれかであり、ステップ３０６に進み、マイクロプロセッサにその内容を送る。
【表２】
2007049733.tif 000004
【００２４】
次にステップ３０８に進み、ＤＶＤ上に記憶された引数の値を読み取る。Nzeroが、コマーシャルを含む第１のトラックであり、Ntotalが、コマーシャルを含むトラックの合計数であり、Nvideoが、映画の第１のトラックである。ステップ３１０に進み、０とNtotalの間の数字であるNpickをマイクロプロセッサで計算する。どんな数を選択するかを決定する方法は、ＤＶＤドライブ内のマイクロコード、またはＤＶＤディスク上のマイクロコードによって事前に決められており、いずれのマイクロコードも、コマーシャル、漫画などから選択することができる。この方法は、ランダムな選択を含み、選択される番号が時刻に基づいて選択されるようにする（すなわち、食事時に食物のコマーシャルを再生する）こともでき、年間の時期に基づいて選択されるようにする（水着のコマーシャルを夏に再生し冬には再生しない）こともできる。新しい映画の予告編など、ある材料がある日時まで見られないようにすることもできる。
【００２５】
次にステップ３１１に移り、以下の式を使用してRpickを計算する。
Rpick＝RANDOM(Npick)
Rpickは、ＤＶＤディスク上に記憶された材料から特定のクリップを選択するための乱数を導出するのに使用される変数である。RANDOM関数は、その引数としてNpickを使用して番号を選び取る関数である。Rpickは、０とNpickの間でランダムに変動し、以下の式で示される。
0  ＜  or  ＝  Rpick  ＜  or  ＝  Npick
Rpickは、ＤＶＤドライブによりRANDOM関数を使用して計算され、RANDOM関数に対する引数（Npick）は、トリガ・ビット＝１の時にＤＶＤディスクから取り出される。コマーシャルまたはビデオ・クリップをＤＶＤディスクからランダムに選び取るのが、好ましい方法である。
【００２６】
その目的は、ＤＶＤ映画を娯楽体験以上のものにすることである。ＤＶＤ映画が視聴される度に異なる漫画が再生されるとしたら、それは視聴者に興味を湧かせるであろう。また、ＤＶＤディスクが視聴される度にコマーシャルが変わるとしたら、あるいはコマーシャルに漫画が挿入されているとしたら、視聴者はコマーシャルを飛ばしたり早送りしたりしなくなるであろう。
【００２７】
次いでステップ３１２に移り、ＤＶＤプレーヤがNzero＋Rpickとして決定されたトラックに対する読取りヘッド（レーザ）のシークを行う。ステップ３１４に進み、Nzero＋Rpickトラックの再生が完了しているかどうか判定する。トラック再生が完了していない場合は、ステップ３１４に戻って判定を繰り返す。トラック再生が完了している場合は、次にステップ３１６に進み、Nvideoトラックに読取りヘッドが移動する。ステップ３１８に進み、画像データを表示（映画を再生）する。変化しないコマーシャルを、映画の前に挿入することもできる。したがって、（ａ）トラックNzero＋Rpickはランダムに選択された最初のコマーシャルであり、（ｂ）トラックNvideoは映画の直前に変化しないコマーシャルを含む。
【００２８】
映画は、ＤＶＤのＡ面の最後に達するまで再生される。映画が単層片面ディスク上に記憶されている場合、映画は終了し、次いで、予告コマーシャルを再生することができる。製造者によってプログラミングされた関数に従って、ドライブは、映画の最後に再生されるコマーシャルをランダム化することができる。
【００２９】
映画が両面ディスクの両面ＡとＢに記憶されている場合、ＤＶＤディスクは反転しなければならない（取り出して裏向きに再挿入しなければならない）。この無駄な時間の間に、本発明は、空白の画面の代わりに、広告板タイプの静止画像または短いアニメーション化されたコマーシャルをＤＶＤディスク・ドライブ中で表示画面に提供し、これらはＤＶＤディスクが反転される前にそれから１度読み出され、次いで、ＲＡＭ、ハード・ディスク・ドライブなどを含むメモリから再生される。再生は、反転されたＤＶＤがＢ面の再生を開始するまで継続する。
【００３０】
ステップ３１８から３２０に進み、再生された最後のセクタがＡ面の最後のセクタかどうか判定する。セクタが最後のセクタでない場合、ステップ３２０に戻って繰り返す。セクタがＡ面の最後のセクタの場合、ステップ３２２に移り、ＤＶＤディスクにＢ面があるかどうか判定する。ＤＶＤディスクにＢ面がない場合、終了ステップ３３４に進み、ＤＶＤが映画の終了を合図する。Ｂ面がある場合、ステップ３２６に進み、ＤＶＤが視聴者にディスクを反転するよう合図する。次にステップ３２８に進み、ＤＶＤが所定の静止画像、あるいは短いビデオ特番またはコマーシャルをＤＶＤドライブ・メモリにロードする。ステップ３２９に進み、ＤＶＤドライブが視聴用画面に静止画像またはビデオ特番を表示する。画像は、ＤＶＤが再挿入されるまで画面上に留まる。次にステップ３３０に移り、ＤＶＤディスクが反転されたかどうか判定する。ディスクが反転されていなければ、ステップ３２９に戻り、同じ個々の静止画像または一連の静止画像、あるいは短いビデオ特番を再生する。ディスクが反転されていれば、ステップ３３１に進み、ＤＶＤドライブが映画の残りを再生する。
【００３１】
コマーシャル、漫画、映画予告編、またはその他の短いビデオ・クリップは、ＤＶＤ映画を収録したＤＶＤディスクと同じディスクに記憶される。ＤＶＤプレーヤ（またはドライブ）は、ＤＶＤプレーヤに記憶されたコード、またはＤＶＤディスクに記憶されたコード、あるいはその両方を使用して、記憶済みのコマーシャルや漫画などからランダムに選び出して、映画の表示に何らかの変化を加える。映画が子供映画の場合、コマーシャルおよび漫画は子供向けのテーマを有することになり、映画が成人寄りの映画の場合、ビデオ・クリップはおそらくより成人向けとなることになる。これらの短いビデオの再生後、ＤＶＤドライブは本編の映画に飛ぶ。
【００３２】
ＤＶＤディスクにコマーシャルを記憶すると、ディスク製造のコストが削減される。コマーシャルのベクトルを記憶すると、各広告企業によって支払われる料金が削減される。例えば、１０個のコマーシャル用空間があるとした場合、各コマーシャルのコストは、広告用空間の全てを購入する総コストの１０分の１となる。ＤＶＤ上の広告を購入する各企業は、誰かがＤＶＤ映画を視聴する間にその広告が表示される比例したチャンスを有することになる。ＤＶＤ上の広告用スロットを多く購入するほど、その企業のコマーシャルが表示される可能性は高くなる。
【００３３】
ＤＶＤの変形はＤｉｖｘ（以前のズームＴＶ（ＺｏｏｍＴＶ））である。Ｄｉｖｘは従量料金制ディスクである。Ｄｉｖｘ  ＤＶＤプレーヤは電話回線に接続されており、プレーヤは電話番号を回し（一般には８００番）、その月にそのプレーヤで再生されたＤｉｖｘ映画に関する料金請求情報をアップロードする。視聴者が指定の時間枠（通常４８時間）の間で映画を視聴するための購入料金がある。次回にＤｉｖｘ映画が視聴される時は、通常、同様の指定の時間枠に対して値引きされた料金が課金される。
【００３４】
本発明の変形例は、Ｄｉｖｘディスク上のコマーシャルのベクトルと、視聴者がコマーシャルを飛ばすことのできるアクセス・コードとを提供するものである。このコードを使用すればコマーシャルのない視聴であるが、より高い料金が課金される。より低い料金が望まれ、かつ、本発明の方式に従ってコマーシャルをランダムに表示できる場合には、何の動作も必要でない。
【００３５】
図６を参照すると、本発明の一実施形態による、Ｄｉｖｘ上におけるコマーシャルなしの視聴方法が示してある。プロセスはステップ４００から始まり、ＤｉｖｘディスクがＤｉｖｘプレーヤに挿入される。ステップ４０２に進み、アクセス・コードが入力されたかどうか判定する。視聴者は、課金センターに電話してコマーシャルなしアクセス・コードを得ることによって、このアクセス・コードを得る。コードがＤｉｖｘプレーヤに入力されると、ステップ４０４に進み、コマーシャルを表示せずに映画を開始する。アクセス・コードの入力がなければ、ステップ４０６に進み、Ｄｉｖｘプレーヤが図８に開示されたように引数を受け取り、Ntotal−1としてNpickを計算する。次にステップ４０７に移り、Rpick＝Random(Npick)式を使用してRpickを計算する。ステップ４０８に進み、ＤｉｖｘプレーヤがトラックNzero＋Rpickをシークする。次にステップ４１０に移り、ＤｉｖｘプレーヤがトラックNzero＋Rpickを再生する。次いでステップ４１２に移り、Ｄｉｖｘ読取りヘッドがNvideoトラックをシークする。次にステップ４０４に進み、Ｄｉｖｘプレーヤが映画を再生する。
【００３６】
図７に、本発明の好ましい一実施形態による、ＤＶＤ  ＲＯＭに記録されたフォーマット済みデータ・フレームの、高レベルのブロック図を示す。データ・フレーム５００は、それぞれが１７２バイトを含む１２行のアレイに配列された、２０６４バイトからなる。データの第１行は３つのフィールドから始まる。すなわち、識別データ（ＩＤ）５０２、ＩＤ誤り検出コード（ＩＥＤ）５０４、著作権管理情報（ＣＰＲ＿ＭＡＩ）５０６であり、その後に１６０バイトの主データ５０８が続く。次の１０行は主データ５０８を含み、その後に誤り検出コード（ＥＤＣ）５１０が続く。
【００３７】
ＩＤ５０２は、セクタ情報５１２とセクタ番号５１４に分割される。さらに、セクタ情報５１２は、ビットｂ３１、ｂ３０、ｂ２９、ｂ２８などを含む。ｂ２８は予約済みビットと見なされ、本発明では、セクタが画像データ（bit＝0）またはＤＶＤドライブ・マイクロプロセッサへの指示（bit＝1）を含むか否かを判定するためのトリガ・ビットとして使用される。
【００３８】
本発明は、ＤＶＤに適用されると、製造時にＤＶＤに記憶されたビデオ・クリップ（プログラム）の形をとる、ランダムと時間指定のいずれかによる材料を選択的に表示する方法を提供する。さらに、本発明は、両面ＤＶＤの反転中の表示画面も提供する。さらに、Ｄｉｖｘ  ＤＶＤ映画ディスクは、コストをかけてコマーシャルなしでも、あるいはコスト削減のためにコマーシャル付きでも再生することができる。
【００３９】
本発明を完全に機能的な装置としての文脈で述べたが、本発明の機構またはその態様、あるいはその両方が、コンピュータで使用できる様々な形式の命令の媒体の形で配布できること、および、本発明が、配布を実際に行うのに使用される信号担持媒体の個々のタイプに関係なく同様に当てはまることを、当業者なら理解するであろうことに留意されたい。コンピュータで使用できる媒体の例には、読取専用記憶装置（ＲＯＭ）や電気消去プログラム可能読取専用記憶装置（ＥＥＰＲＯＭ）などの不揮発性ハードコード・タイプの媒体、フロッピー・ディスクやハード・ディスク・ドライブやＣＤ  ＲＯＭなどの記録可能タイプの媒体、ディジタルおよびアナログの通信リンクなどの伝送タイプの媒体が含まれる。
【００４０】
まとめとして、本発明の構成に関して以下の事項を開示する。
【００４１】
（１）ディジタル・ビデオ・ディスク（ＤＶＤ）プレーヤでビデオ・データを表示する方法であって、
ＤＶＤディスクに積載された映画を含めて、複数の所定のビデオ・プログラムを記憶するステップと、
前記ＤＶＤディスクの表示開始時に、前記複数の所定のビデオ・プログラムまたは前記映画のうちの１つを自動的に選択するステップとを含む方法。
（２）前記複数の所定のビデオ・プログラムまたは前記映画のうちの１つを自動的に選択するステップが、
RANDOMを番号の選択用の関数とし、Npickを前記RANDOM関数の引数として、式Rpick＝RANDOM(Npick)から決定される第１の値を決定するステップと、
前記所定のビデオ・プログラムのうちの１つを含む第１のトラックをNzeroとして、トラック番号Nzero＋Rpickをシークし、そのトラックを再生するステップと、
前記トラック番号の再生終了時に前記映画を再生するステップとをさらに含む、上記（１）に記載の方法。
（３）前記ＤＶＤディスクに積載された各データ・フレーム中でトリガ・ビットを定義するステップをさらに含む、上記（１）に記載の方法。
（４）前記トリガ・ビットを定義するステップがさらに、
前記データ・フレームの内容が画像データであることを示す第１のビット値を定義するステップと、
前記データ・フレームの内容がマイクロコード関数に対する引数であることを示す第２のビット値を定義するステップとを含む、上記（３）に記載の方法。
（５）前記データ・フレームの内容がマイクロコード関数に対する引数であることを示す前記第２のビット値を定義するステップが、
その代わりに、前記データ・フレームの前記内容がマイクロコードであることを示す前記第２のビット値を定義するステップである、上記（４）に記載の方法。
（６）前記トリガ・ビットの前記第１の値が検出された場合に直ちに表示されるように、前記データ・フレームをビデオ・デコーダに送るステップと、
前記トリガ・ビットの前記第２の値が検出された場合に処理されるように、前記データ・フレームをマイクロプロセッサに送るステップとをさらに含む、上記（５）に記載の方法。
（７）前記データ・フレームの内容を示す前記第２のビット値を定義するステップが、
前記所定のビデオ・プログラムを含むトラックの総数をNtotalとして、ゼロからNtotal−1までの範囲のある番号をランダムに選び出すステップをさらに含む、上記（５）に記載の方法。
（８）前記番号の選択が時刻に基づく、上記（７）に記載の方法。
（９）前記番号の選択がその代わりに一年の時期に基づく、上記（７）に記載の方法。
（１０）前記第２のビット値が検出された場合に、マイクロコードからの命令に応答して所定の静止画像または短いビデオをＤＶＤドライブ・メモリから連続して再生するステップをさらに含み、前記命令が、前記連続再生がＤＶＤディスクの反転中だけ活動化するようにする、上記（４）に記載の方法。
（１１）前記映画が再生される度に再生されるコマーシャル・ビデオ・クリップを前記映画の直前に挿入するステップをさらに含む、上記（１）に記載の方法。
【００４２】
（１２）ディジタル・ビデオ・ディスク（ＤＶＤ）プレーヤでビデオ・データを表示するための装置であって、
ＤＶＤディスクに積載された映画を含めて、複数の所定のビデオ・プログラムを記憶する記憶手段と、
前記ビデオ・プログラムを表示する表示手段と、
前記映画の表示開始時に前記複数の前記所定のビデオ・プログラムまたは前記映画のうちの１つを自動的に選択する論理手段とを含む装置。
（１３）RANDOMを番号の選択用の関数とし、Npickを前記RANDOM関数の引数として、式Rpick＝RANDOM(Npick)から決定される第１の値を決定する論理手段と、
前記所定のビデオ・プログラムのうちの１つを含む第１のトラックをNzeroとして、トラック番号Nzero＋Rpickをシークし、そのトラックを再生するレーザ読取り手段と、
前記トラック番号の再生終了を判定し、次いで前記映画を再生する論理手段とをさらに含む、上記（１２）に記載の装置。
（１４）前記ＤＶＤディスクに積載された各データ・フレーム中でトリガ・ビットを定義する論理手段をさらに含む、上記（１２）に記載の装置。
（１５）前記トリガ・ビットの定義がさらに、
前記データ・フレームの内容が画像データであることを示す第１のビット値を定義する引数手段と、
前記データ・フレームの内容がマイクロコード関数に対する引数であることを示す第２のビット値を定義する追加の引数手段とを含む、上記（１４）に記載の装置。
（１６）前記データ・フレームの内容がマイクロコード関数に対する引数であることを示す前記第２のビット値の定義が、
その代わりに、前記データ・フレームの前記内容がマイクロコードであることを示す前記第２のビット値を定義する論理手段である、上記（１５）に記載の装置。
（１７）前記トリガ・ビットの前記第１の値が検出された場合に直ちに表示されるように、前記データ・フレームをビデオ・デコーダに送る伝送手段と、
前記トリガ・ビットの前記第２の値が検出された場合に処理されるように、前記データ・フレームをマイクロプロセッサに送る通信手段とをさらに含む、上記（１６）に記載の装置。
（１８）前記データ・フレームの内容がマイクロコード関数の引数であることを示す前記第２のビット値を定義する論理手段が、
前記所定のビデオ・プログラムを含むトラックの総数をNtotalとして、ゼロからNtotal−1までの範囲のある番号をランダムに選び出す手段をさらに含む、上記（１６）に記載の装置。
（１９）前記ゼロからNtotal−1までの範囲の番号をランダムに選び出す論理手段が時刻に基づく、上記（１８）に記載の装置。
（２０）前記ゼロからNtotal−1までの範囲の間の番号をランダムに選び出す論理手段が、その代わりに一年の時期に基づく、上記（１８）に記載の装置。
（２１）前記第２のビット値が検出された場合に、所定の静止画像または短いビデオをＤＶＤドライブ・メモリから連続再生する手段をさらに含み、マイクロコード命令が、１つまたは複数のコマーシャルの前記連続再生がＤＶＤディスクの反転中だけ活動化するようにする、上記（１５）に記載の装置。
（２２）前記映画の直前に、前記映画が再生される度に再生されるコマーシャル・ビデオ・クリップをさらに含む、上記（１２）に記載の装置。
【００４３】
（２３）命令格納媒体中に、ディジタル・ビデオ・ディスク（ＤＶＤ）プレーヤでビデオ・データを表示するための命令を含む、コンピュータ・プログラム製品であって、
ＤＶＤディスクに積載された映画を含めて、複数の所定のビデオ・プログラムを記憶するための、前記命令格納媒体中の命令と、
前記映画の表示開始時に前記複数の所定のビデオ・プログラムまたは前記映画のうちの１つを自動的に選択するための、前記命令格納媒体中の命令とを含むコンピュータ・プログラム製品。
（２４）前記複数の所定のビデオ・プログラムまたは前記映画のうちの１つを自動的に選択するための命令が、
RANDOMを番号の選択用の関数とし、Npickを前記RANDOM関数の引数として、式Rpick＝RANDOM(Npick)から決定される第１の値を決定するための、前記命令格納媒体中の命令と、
前記所定のビデオ・プログラムのうちの１つを含む第１のトラックをNzeroとして、トラック番号Nzero＋Rpickをシークし、そのトラックを再生するための、前記命令格納媒体中の命令と、
前記トラック番号の再生終了時に前記映画を再生するための、前記命令格納媒体中の命令とをさらに含む、上記（２３）に記載のコンピュータ・プログラム製品。
（２５）前記ＤＶＤディスクに積載された各データ・フレーム中でトリガ・ビットを定義するための、前記命令格納媒体中の命令をさらに含む、上記（２３）に記載のコンピュータ・プログラム製品。
（２６）前記トリガ・ビットを定義するための命令が、
前記データ・フレームの内容が画像データであることを示す第１のビット値を定義するための、前記命令格納媒体中の命令と、
前記データ・フレームの内容がマイクロコード関数に対する引数であることを示す第２のビット値を定義するための、前記命令格納媒体中の命令とをさらに含む、上記（２５）に記載のコンピュータ・プログラム製品。
（２７）前記データ・フレームの内容がマイクロコード関数に対する引数であることを示す第２のビット値を定義するための命令が、
その代わりに、前記データ・フレームの前記内容がマイクロコードであることを示す第２のビット値を定義するための、前記命令格納媒体中の命令をさらに含む、上記（２６）に記載のコンピュータ・プログラム製品。
（２８）前記トリガ・ビットの前記第１の値が検出された場合に直ちに表示されるように、前記データ・フレームをビデオ・デコーダに送るための、前記命令格納媒体中の命令と、
前記トリガ・ビットの前記第２の値が検出された場合に処理されるように、前記データ・フレームをマイクロプロセッサに送るための、前記命令格納媒体中の命令とをさらに含む、上記（２７）に記載のコンピュータ・プログラム製品。
（２９）前記データ・フレームの前記内容中の命令が、
Ntotalが前記所定のビデオ・プログラムを含むトラックの総数と等しい場合に、ゼロからNtotal−1までの範囲のある番号をランダムに選び出すための、前記命令格納媒体中の命令をさらに含む、上記（２７）に記載のコンピュータ・プログラム製品。
（３０）前記番号をランダムに選び出すための、前記命令格納媒体中の命令が時刻に基づく、上記（２９）に記載のコンピュータ・プログラム製品。
（３１）前記番号をランダムに選び出すための、前記命令格納媒体中の命令が、その代わりに一年の時期に基づく、上記（２９）に記載のコンピュータ・プログラム製品。
（３２）所定の静止画像または短いビデオをＤＶＤドライブ・メモリから連続再生するための、前記命令格納媒体中の命令をさらに含み、前記命令が、前記連続した再生がＤＶＤディスクの反転中だけ活動化するようにする、上記（２６）に記載のコンピュータ・プログラム製品。
（３３）前記映画が再生される度に再生されるコマーシャル・ビデオ・クリップを前記映画のすぐ前に挿入するための、前記命令格納媒体中の命令をさらに含む、上記（２３）に記載のコンピュータ・プログラム製品。
【図面の簡単な説明】
【００４４】
【図１】本発明の好ましい一実施形態を実施することのできるデータ処理システムの、高レベルのブロック図である。
【図２】本発明の好ましい一実施形態を実施することのできるデータ処理システムの、高レベルのブロック図である。
【図３】本発明の好ましい一実施形態による、ＤＶＤディスク上に記録されたトラックの高レベルの図である。
【図４】本発明の好ましい一実施形態による、ＤＶＤディスク上に記録された情報構造の高レベルの図である。
【図５】本発明の好ましい一実施形態による、任意選択の記憶済みビデオ・プログラムを表示する方法の高レベルの流れ図である。
【図６】本発明の一実施形態による、Ｄｉｖｘ  ＤＶＤディスクにおけるコマーシャルなしの視聴方法を示す図である。
【図７】本発明の好ましい一実施形態による、ＤＶＤＲＯＭに記録されたフォーマット済みデータ・フレームの高レベルのブロック図である。
【符号の説明】
【００４５】
１０２  片面ディジタル・ビデオ・ディスク（ＤＶＤ）
１０２  光ディスク
１０４  第１の透明基板
１０６  情報層
１０８  ボンディング層
１１０  第２の透明基板
１１２  プリント層
１１４  レーザ光線
１１６  光点
１２０  ＤＶＤ
１２５  ＤＶＤレーザ
Ｓ１  物理セクタ
Ｓ２  物理セクタ
Ｓ３  物理セクタ
５００  データ・フレーム
５０２  識別データ（ＩＤ）
５０４  ＩＤ誤り検出コード（ＩＥＤ）
５０６  著作権管理情報（ＣＰＲ＿ＭＡＩ）
５０８  主データ
５１０  誤り検出コード（ＥＤＣ）
５１２  セクタ情報
５１４  セクタ番号
ｂ３１  ビット
ｂ３０  ビット
ｂ２９  ビット
ｂ２８  ビット
【図１】
2007049733.tif 000005
【図２】
2007049733.tif 000006
【図３】
2007049733.tif 000007
【図４】
2007049733.tif 000008
【図５】
2007049733.tif 000009
【図６】
2007049733.tif 000010
【図７】
2007049733.tif 000011
【手続補正書】
【提出日】平成18年11月1日(2006.11.1)
【手続補正１】
【補正対象書類名】特許請求の範囲
【補正対象項目名】請求項３
【補正方法】変更
【補正の内容】
【請求項３】
前記プログラムを、通信回線を介して取得することを特徴とする請求項１又は２に記載の映像情報再生装置。